(57)【要約】【課題】用途に応じて、光を集中、拡散することができる化学発光体を光源とする簡易照明具を提供する。【解決手段】ヒートシールによって一体化された一対のフィルム片３１，３２からなる本体カバー３の一部に逆Ｖ字状の脆弱部５１〜５４を段階的に複数設けて、各フィルム片３１，３２を脆弱部５１〜５４に沿って引き剥がして、化学発光体２を中心軸とする円錐状の「傘」を形成する。【選択図】　図１
2004087180.tif 000002
【特許請求の範囲】
【請求項１】
棒状の化学発光体からなる光源と、少なくとも一方の面に光を反射する反射面が形成された一対のフィルム片を有し、上記各フィルム片の上記反射面同士を互いに向き合わせた状態で上記化学発光体を挟み込んで貼り合わせてなる本体カバーとを備え、
未使用状態において、上記本体カバーには、その上端側から下端側にかけてほぼ逆Ｖ字状に形成された脆弱部が上記化学発光体の中心軸線を挟んで対称に設けられており、使用時に上記本体カバーの下端側から上記脆弱部に沿って上記各フィルム片を剥離させることにより、上記本体カバーの一部が上記化学発光体を中心軸とする円錐状に形成されることを特徴とする簡易照明具。
【請求項２】
上記脆弱部は、上記中心軸線に対して段階的に所定角度ずつずらされた位置に複数設けられている請求項１に記載の簡易照明具。
【請求項３】
上記各フィルム片同士は、ヒートシールによって貼着されている請求項１または２に記載の簡易照明具。
【請求項４】
上記本体カバーの上端側には、上記本体カバーを吊下状態で保管するための吊下手段が設けられている請求項１，２または３に記載の簡易照明具。
【請求項５】
上記吊下手段はフックなどの吊下具に吊下可能な吊下孔からなり、上記吊下孔は、上記本体カバーを上記中心軸線に沿って平行にｎ（ｎは整数）回折り畳んだ際、それらが互いに重なり合う位置にｎ＋１個設けられている請求項１ないし４のいずれか１項に簡易照明具。
【請求項６】
上記各フィルム片のには、暗所でも上記本体カバーを認識可能な蓄光部が設けられている請求項１ないし５のいずれか１項に記載の簡易照明具。
【請求項７】
上記脆弱部に代えて、少なくとも上記脆弱部分の位置に形成されたヒートシールにて上記一対のフィルム片を貼り合わせてなる請求項１ないし６のいずれか１項に記載の簡易照明具。
【発明の詳細な説明】
【０００１】
【発明の属する技術分野】
本発明は、化学発光体を光源とする簡易式の照明具に関し、さらに詳しく言えば、用途に応じて、光を集中させたり、拡散させたりすることができる簡易照明具に関する。
【０００２】
【従来の技術】
台風などの災害時に備えて各住宅や自治体では懐中電灯などの防災用具が用意されている。しかしながら、この防災用具は長期間使用されずに保管されている場合が多く、特に懐中電灯は、内蔵する蓄電池が大気放電によって失われるため、ある程度の保管期間をもって電池を交換しなければならない。
【０００３】
そこで、最近では化学反応によって発光する化学発光体を用いた簡易ライトが提供されている。化学発光体は、例えば特開平１１−４５６０２号公報に示されているように、蛍光液と反応促進液とを分離した状態で筒状容器内に収納し、使用時に容器本体を折り曲げるなどして、蛍光液と反応促進液とを混合し、その混合液の化学反応による発光作用を利用したものである。
【０００４】
これによれば、懐中電灯のように定期的な蓄電池の交換が必要無く、２つの液体が混ざり合わさることが無い限り長期間（約５年程度）保管しておくことができる。しかも、その発光時間が数時間以上保持でき、経済的である。この化学発光体は、例えばコンサートなどのイベント用イルミネーションや夜釣り用の浮きなどとしても用いられている。
【０００５】
【発明が解決しようとする課題】
しかしながら、この化学発光体を照明具として用いる場合、次のような問題があった。すなわち、化学発光体は一般にスティック状などのため、光が回りに拡散してしまい、発光体付近しか照らし出すことができない。
【０００６】
とりわけ、停電などの非常時に部屋を移動するためには、足下などをスポット的に照らし出さなくてはならず、化学発光体単体で使用するには光量が足りない。
【０００７】
そこで、本発明は上述した課題を解決するためになされたものであって、その目的は、用途に応じて、光を集中、拡散することができる化学発光体を光源とする簡易照明具を提供することにある。
【０００８】
【課題を解決するための手段】
上述した目的を達成するため、本発明は、棒状の化学発光体からなる光源と、少なくとも一方の面に光を反射する反射面が形成された一対のフィルム片を有し、上記各フィルム片の上記反射面同士を互いに向き合わせた状態で上記化学発光体を挟み込んで貼着してなる本体カバーとを備え、未使用状態において、上記本体カバーには、その上端側から下端側にかけてほぼ逆Ｖ字状に形成された脆弱部が上記化学発光体の中心軸線を挟んで対称に設けられており、使用時に上記本体カバーの下端側から上記脆弱部に沿って上記各フィルム片を剥離させることにより、上記本体カバーの一部が上記化学発光体を中心軸とする円錐状に形成されることを特徴としている。
【０００９】
これによれば、未使用時には単なる板状体として保管しておくことができ、使用時に本体カバーの一部を剥がすことで、化学発光体の回りに円錐状の「傘」が形成され、化学発光体からの光を一定方向に集束することができる。また、本体カバーの内面は反射板とされているため、より集束能力が高い。
【００１０】
より好ましい態様として、上記脆弱部は、上記中心軸線に対して段階的に所定角度ずつずらされた位置に複数設けられていることが好ましく、これによれば、「傘」の開き角を段階的に調節することができる。
【００１１】
すなわち、「傘」の開き角を小さくすることにより、懐中電灯のように光を集中させてスポット的に照らし出すことができ、「傘」の開き角を大きくすることにより、電灯のように光を拡散させて、広範囲を照らし出すことができる。
【００１２】
各フィルム片の貼着方法としては、粘着や圧着などが考えられるが、貼着後に再び剥がすことを考慮して、上記各フィルム片同士は、ヒートシールによって貼着されていることが好ましい。
【００１３】
上記本体カバーの上端側には、上記本体カバーを吊下状態で保管するための吊下手段が設けられていることが好ましく、これによれば、保管時や使用時に簡易照明具を吊り下げて保管または使用することができる。
【００１４】
この簡易照明具を保管する際には、その保管スペースが極力小さい方が好ましい、そこで、上記吊下手段は、フックなどの吊下具に吊下可能な吊下孔からなり、上記吊下孔は、上記本体カバーを上記中心軸線に沿って平行にｎ（ｎは整数）回折り畳んだ際、それらが互いに重なり合う位置にｎ＋１個設けられている。
【００１５】
これによれば、例えば簡易照明具を２回折り畳んで収納する場合、重なり合う３つの辺に吊下孔を１カ所ずつ（合計３カ所）重なり合うように設けておくことで、簡易照明具を折り畳んだ状態で吊下収納しておくことができる。
【００１６】
なお、停電時などに保管されている簡易照明具をより簡単に見つけ出すため、上記各フィルム片には、暗所でも上記本体カバーを認識可能な蓄光部が設けられていることが好ましい。
【００１７】
また、脆弱部に代えて、少なくとも脆弱部分の位置に形成されたヒートシールにて一対のフィルム片を貼り合わせてもよく、この場合も本体カバーに円錐状の「傘」が段階的に形成される。
【００１８】
【発明の実施の形態】
次に、本発明の実施形態について図面を参照しながら説明する。図１は、本発明の一実施形態に係る簡易照明具の正面図であり、図２は、その側面図および底面図であり、図３は要部断面図である。
【００１９】
この簡易照明具１は、光源として用いられる棒状の化学発光体２と、化学発光体２をほぼ中央に挟み込んだ状態で支持する本体カバー３とを備え、本体カバー３は、一対の矩形状のフィルム片３１，３２の貼り合わせ体からなる。
【００２０】
化学発光体２は、合成樹脂製の外筒を有する棒状体からなり、外筒の内部には、ガラス製の内筒（図示しない）が収納されている。この実施形態において、外筒内には、一方の化学発光物質としての蛍光剤が収納され、内筒内には他方の発光物質としての反応促進剤が収納されており、それらが内筒を介して隔離されている。
【００２１】
本発明において、化学発光体２の具体的な構成はあくまで任意であり、化学発光作用によって発光するものであれば、適宜選択して使用することができる。
【００２２】
図３に示すように、本体カバー３を構成する各フィルム片３１，３２は、合成樹脂製フィルムからなる基材３１１，３１２の一方の面に例えばアルミ箔などの光反射フィルムが貼着された反射面３１２，３２２を有し、各反射面３１２，３２２が化学発光体２を挟んで互いに対向するように貼り合わせられている。
【００２３】
この実施形態において、基材３１１，３１２は合成樹脂製のフィルムが用いられているが、透湿性の少ないＰＰ（ポリプロピレン）などの合成樹脂フィルムが好ましく、その中でも一軸延伸処理したものがより好ましい。これによれば、長期間の保管に耐えるとともに、簡単に開封できる。
【００２４】
本体カバー３は、ほぼ全面がヒートシールによって密着されているが、この本体カバー３には、化学発光体２の上端側から下端側にかけてほぼ逆Ｖ字状に形成された脆弱部５１〜５４が設けられている。
【００２５】
脆弱部５１〜５４は、ヒートシール処理されていない未シール部からなり、化学発光体２の中心軸線Ｌを挟んで左右対称に設けられている。
【００２６】
これによれば、図２に示すように、使用時に本体カバー２を下側から剥がすことにより、化学発光体２の回りに円錐状の「傘」が形成され、化学発光体２からの光を一定方向に集束することができる。また、本体カバー２の内面は反射面とされているため、より光の集束能力が高い。
【００２７】
脆弱部５１〜５４は、化学発光体２の中心軸線Ｌに対して段階的に所定角度ずつずらされた位置に複数、この実施形態においては４カ所に設けられている。
【００２８】
これによれば、用途に応じて各脆弱部５１〜５４を選択的に選んでその位置まで開封することで、「傘」の開き角Ｓ１〜Ｓ４を段階的に調節できる。すなわち、「傘」の開き角を小さく設定すれば、懐中電灯のように光を集中させてスポット的に照らし出すことができ、「傘」の開き角を大きく設定すれば、電灯のように光を拡散させて、広範囲を照らし出すことができる。
【００２９】
この実施形態において、脆弱部５１〜５４は他の部分よりも貼着強度が弱められたものからなるが、逆に脆弱部分５１〜５４のみをヒートシールして、各フィルム片３１，３２同士をヒートシールしてもよい。このような態様も本発明に含まれる。
【００３０】
図１に示すように、本体カバー３には、外側の脆弱部５４に沿って所定間隔をもって切れ目６１が設けられており、この切れ目６から本体カバー３の不要部分を切り取ることができる。
【００３１】
この実施形態において、脆弱部５４と切れ目６１との間は、他の部分よりも硬くヒートシールされたフランジ状に形成されており、切り離し後の本体カバー３の補形性が高められている。
【００３２】
本体カバー３の上端側には、この簡易照明具１を吊下状態で保管するための吊下手段としての吊下孔４１〜４３が設けられおり、吊下孔４１〜４３は、本体カバー３を中心軸線Ｌに沿って平行にｎ（ｎは整数）回折り畳んだ際、それらが互いに重なり合う位置にｎ＋１個設けられている。
【００３３】
この実施形態においては、本体カバー３を２回折り畳んで収納する形態であり、この場合、吊下孔４１〜４３は、折り畳んだときに相対する位置に３カ所に設けられている。これによれば、図４に示すように、本体カバー３を折り畳んで収納する際に、各吊下孔４１〜４３が同一直線上に並ぶため、壁面フックＦなどに吊り下げて保管することができる。
【００３４】
本体カバー３の下端側には、使用時に本体カバー３の下端側を開封するための切れ目６２がさらに設けられている。切れ目６２は、本体カバー３の下端側に反って平行に設けられており、この切れ目６２に沿って本体カバー３の一部を切り取ることにより、開封時に指を本体カバー３内に入れることができる。
【００３５】
この実施形態において、本体カバー３の上部には吊下手段として吊下孔４１〜４３が設けられているが、これ以外の吊下手段として、図５（ａ）に示すように、フック７を一体的に設けてもよい。このような簡易照明具１ａも本発明に含まれる。
【００３６】
また、図５（ｂ）に示すように、本体カバー３の側面に両面粘着テープ８を貼着しておき、両面粘着テープ８を介して壁面に貼り付けて保持してもよい。さらに、停電時などに保管された簡易照明具１ｂを簡単に見つけ出すために、本体カバー３の前面に蓄光材などからなる蓄光部９を設けておいてもよい。このような耐用も本発明に含まれる。
【００３７】
この簡易照明具１を使用するに当たっては、まず、折り畳まれて保管されているときは、本体カバー３を初期状態まで広げ、手で化学発光体２を折り曲げる。これにより、化学発光体２内の反応液が混合させ、発光が始まる。
【００３８】
次に、切れ目６２に沿って本体カバー３の下端側を切り取り、手で各フィルム片３１，３２の両側を摘み、軽く引っ張る。ところで、最初の脆弱部５１，５１の間は、未シールとされているために棒状の「傘」が出来上がる。このとき、光は図１に示すようにスポット的に収束される。
【００３９】
さらに、各フィルム片３１，３２を引き剥がして行くと、本体カバー３は次の脆弱部５２に向かって剥がれ始め、脆弱部５２に沿って細長い円錐状の「傘」が形成される。これにより、懐中電灯のような比較的広範囲を照らし出すことができる。
【００４０】
より広範囲を照らし出したい場合には、上述した最後の脆弱部５４に至るまで引き剥がし作業を繰り返すことにより、「傘」の開き角が最大となり電灯のように広範囲を照らし出すことができる。
【００４１】
最後に、切れ目６１から不要な部分を取り外すことで、簡易照明具１が完成する。使用中は、化学発光体２の後端側を手で把持して懐中電灯のように使用してもよいし、中央の吊下孔４２に吊り下げて使用してもよい。
【００４２】
この実施形態において、本体カバー３はフィルム片３１，３２によって構成されているが、これ以外に紙や金属板などで構成してもよく、上述した「傘」を構成できるものであれば、材料は適宜選択される。
【００４３】
【発明の効果】
以上説明したように、本発明によれば、棒状の化学発光体からなる光源と、一方の面に光を反射する反射面が形成された一対のフィルム片を有し、各フィルム片の反射面同士を互いに向き合わせた状態で化学発光体を挟み込んで貼着してなる本体カバーとを備え、未使用状態において、本体カバーには、その上端側から下端側にかけてほぼ逆Ｖ字状に形成された脆弱部が化学発光体の中心軸線を挟んで対称に設けられており、使用時に本体カバーの下端側から脆弱部に沿って各フィルム片を剥離させることにより、本体カバーの一部が化学発光体を中心軸とする円錐状に形成されることにより、未使用時には単なる板状体として保管しておくことができ、使用時に本体カバーの一部を剥がすことで、化学発光体の回りに円錐状の「傘」が形成され、化学発光体からの光を一定方向に集束することができる。
【図面の簡単な説明】
【図１】本発明の一実施形態に係る簡易照明具の正面図。
【図２】上記実施形態の簡易照明具の側面図および底面図。
【図３】上記実施形態の簡易照明具の要部断面図
【図４】吊下手段の構成を説明する説明図。
【図５】吊下手段の変形例を説明する説明図。
【符号の説明】
１　簡易照明具
２　化学発光体
３　本体カバー
３１，３２　フィルム片
４１〜４３　吊下孔
５１〜５４　脆弱部
６１，６２　切れ目
７　フック
８　両面粘着テープ
９　蓄光部
【図１】
2004087180.tif 000003
【図２】
2004087180.tif 000004
【図３】
2004087180.tif 000005
【図４】
2004087180.tif 000006
【図５】
2004087180.tif 000007